(57)【要約】      （修正有）【課題】籾摺りと風選が同時にでき、小型軽量で安価で電力を使用しない手動籾摺機を提供する。【解決手段】表面に凹凸を有する樹脂製ローラー４と樹脂製固定平板５との間で籾摺りを行う。樹脂製のローラーはハンドル３を用いて手動で回転される。ハンドルの回転は増速歯車７あるいは増速プーリーを介して遠心ファン８のシャフト６に連結される。遠心ファンによって作られた風の向きが、籾摺りされて落下する籾殻および玄米と直交するように遠心ファンを配置する。比重が大きい玄米は風の影響を受けずに略真下に落下し、玄米収納箱１１に収まる。籾殻は風で吹き飛ばされて、籾殻収納箱１２に収まる。【選択図】図１
0003165154.tif 000002
【実用新案登録請求の範囲】
【請求項１】
ケーシング１、該ケーシングに回動自在に支承されたローラー用シャフト２、該ローラー用シャフトの端部に固定された手動ハンドル３、前記ローラー用シャフトに固定され表面に凹凸を有する樹脂製のローラー４、該ローラーと平行に前記ケーシングに固定された樹脂製平板５、前記ケーシングに回動自在に支承されたファン用シャフト６、該ファン用シャフトと前記ローラー用シャフトを回転連結する増速ギアあるいは増速プーリー７、前記ファン用シャフトに固定された遠心ファン８、籾摺り前の籾を投入するホッパー９から成る手動籾摺機。
【請求項２】
ケーシング１、該ケーシングに回動自在に支承された２本のローラー用シャフト２、該ローラー用シャフトの一本の端部に固定された手動ハンドル３、前記２本のローラー用シャフトの回転速度が異なるように回転連結する連結ギア又は連結プーリー１０、前記２本のローラー用シャフトに固定された樹脂製のローラー５、前記ケーシングに回動自在に支承されたファン用シャフト６、該ファン用シャフトと前記２本のローラー用シャフトのうちの１本を回転連結する増速ギアあるいは増速プーリー７、前記ファン用シャフトに固定された遠心ファン８、籾摺り前の籾を投入するホッパー９から成る手動籾摺機。
【請求項３】
ファンが軸流ファンあるいはクロスフローファンであることを特徴とする請求項１、２記載の手動籾摺機。
【考案の詳細な説明】
【技術分野】
【０００１】
本考案は手動籾摺機に関するものである。
【背景技術】
【０００２】
米の籾から籾殻を外して玄米にする所謂籾摺りは古来から石臼を用いたり、ビンの底に入れた籾を棒で搗くなど、様々な方法で行われてきた。籾摺りされた後で籾殻を吹き飛ばして玄米を取り出す。籾殻を吹き飛ばすには唐箕と呼ばれる吹き飛ばし機が良く用いられてきたが、手動の扇風機が用いられる場合もあった。
【０００３】
近年では籾摺は大型の電動籾摺機で行われる場合が多い。普及している電動籾摺機は、ローラー式とインペラー式（衝撃式）に大別される。ローラー式においては、籾は電動モーターの力で回転する２本の樹脂製ローラーに挟まれながら送られる。２本のローラーの回転速度は異なるように設定されており、挟まれた籾はローラー間でせん断力を受けて籾殻が摺り落とされる。２本のローラー1セットだけでは籾殻を摺り落とす比率、所謂脱ぷ率は低いために、上流側１次ローラーと下流側の2次ローラーからなる籾摺機が一般に普及している。また、特許文献１のごとく、ローラー式と衝撃式とを組み合わせた籾摺機も考案されて実用化されている。
【０００４】
ローラー式籾摺機においては、２本のローラーの材質、弾性率、摩擦率、２本のローラーの相対的な回転速度、２本のローラー間の隙間などによって脱ぷ率や耐久性が異なる。そこで長年にわたって研究開発され、結果として極めて満足度の高い籾摺機の実現に至っている。例えば、特許文献２、特許文献４、特許文献６では、２本のローラー間の圧力を電気的に計測し、圧力が最適になるように電気的に自動制御する方法が発明されている。
【０００５】
電動籾摺機で籾摺りした後に、電動の唐箕を用いて籾殻の吹き飛ばしをするのが一般であるが、特許文献３に示されるように、電動籾摺機と電動吹き飛ばし機、所謂風選機を一体化したものも考案されている。また、穀物の大きさを選別する選別機を一体化したものも考案されて実用化されている。例えば特許文献５では、インペラー式の電動籾摺機と電動風選機と電動の揺動式選別機が言ったかされたものが考案されている。
【０００６】
このように、電動籾摺機については様々な工夫や改良が長年にわたって積み重ねられ、極めて満足度の高い製品の実現に至っている。然しながら、電動籾摺機は大型で高価であるために、小規模で稲や雑穀を耕作する人は昔ながらの石臼方式や棒搗き方式を用いて籾摺りを行っている。これらの方式は膨大な手間暇が掛かるという不都合がある。さらには、籾摺りした後の籾殻の吹き飛ばしの際にも、唐箕は大型で高価であるので敬遠され、扇風機で吹き飛ばすなどの方法が選ばれているが、やはり手間暇が掛かるという不都合がある。
【０００７】
さらには、近年の環境問題への意識の高まりから、自作のお米や雑穀の籾摺りや風選を電力を使用しないで行いたいと希望する人が増えているが、要望に応えられる製品は存在しない。
【先行技術文献】
【特許文献】
【０００８】
【特許文献１】特許公開２０１０−１６７３７４
【特許文献２】特許公開２００９−２１９９８２
【特許文献３】特許公開２０１０−１６７３７４
【特許文献４】特許公開２００４−３０５７９３
【特許文献５】特許公開２００１−２５２５７７
【特許文献６】特許公開２００１−２０５１１７
【考案の概要】
【考案が解決しようとする課題】
【０００９】
本考案は上記の事情に鑑み為されたもので、その解決しようとする課題は、家庭で用いられるような小型で軽量で安価で電力を使用しない籾摺機兼風選別機を実現することにある。
【課題を解決するための手段】
【００１０】
本考案では、表面に凹凸を有する樹脂製ローラーと樹脂製固定平板との間で籾摺りが行われる。樹脂製のローラーはハンドルを用いて手動で回転される。ハンドルの回転は増速歯車あるいは増速プーリーを介して遠心ファンのシャフトに連結される。遠心ファンによって作られた風の向きが、籾摺りされて落下する籾殻および玄米と直交するように遠心ファンは配置される。比重が大きい玄米は風の影響を受けずに略真下に落下し、玄米収納箱に収まる。籾殻は風で吹き飛ばされて、籾殻収納箱に収まる。
【考案の効果】
【００１１】
以上のように、本考案になる籾摺機は、ハンドルを手で回すだけで籾摺りが行われると共に、玄米と籾殻は分離されて別々の箱に収まる。この構造により、小型軽量で安価で電力を使用しない籾摺機が実現された。
【図面の簡単な説明】
【００１２】
【図１】図１は本考案になる籾摺機の全体図である。
【図２】図２は請求項２で訴求した籾摺機の全体図である。
【考案を実施するための形態】
【００１３】
ケーシングは略直方体の薄板構造とする。ケーシングの下部には机等に設置を容易とするようにフランジが形成される。籾摺りを行う際には、このフランをクランプ等で机に固定することが好ましい。ケーシングの材質は金属が好ましいが樹脂でも構わない。
【００１４】
ケーシングを水平に貫通するようにローラー用シャフトが回転自在にケーシングに軸受けを介して支承される。シャフトは金属製が好ましい。シャフト端部には手動ハンドルが固定される。固定方法は特定しないが、シャフト端部にネジ止めする方法が最も簡便である。
【００１５】
ローラー用シャフトには樹脂製のローラーが取り付けられる。シャフトと樹脂製ローラーの取り付けは、接着や鋳込みでもよいが、樹脂製ローラーの交換が困難という不都合がある。そこで、シャフトの断面形状を正方形にし、樹脂製ローラーの芯部に四角形の孔を開けて差し込む方式が好都合である。樹脂製ローラーの材質や硬度は特定しないが、適度な弾力と磨耗に対する耐久性を満足するために高硬度のウレタン樹脂または高硬度のシリコン樹脂で成型することが好ましい。
【００１６】
樹脂製ローラーの形状は表面に凹凸を有する円柱形とする。円柱の長さと直径は籾摺機のキャパシティーによって定める。直径と長さが大きいほど籾摺りのキャパシティーは大きくなるが、ハンドルを回すためのトルクも大きくなる。女性でも軽く回せることを考えるならば、直径は３〜５センチメートル、長さは１０〜１５センチメートル程度が好ましい。表面の凹凸の形状は、中心軸と水平方向に複数の溝が等間隔に彫られている形が好ましい。溝の形は籾摺りの対象物によって異なるが、代表的な米の場合には、溝の形は略三日月形、溝の深さは米粒の短径の半分程度、溝の幅は米粒の長径程度が好ましい。
【００１７】
樹脂製平板の材質は樹脂製ローラーと同様でよい。樹脂製ローラーも樹脂製平板も磨耗による損傷は避け難く、消耗品と見做して適宜交換せざるを得ない。交換頻度をなるべく少なくするためには樹脂の硬度はできるだけ高い方が好ましい。
【００１８】
樹脂製平板は樹脂製ローラーと平行に、ケーシングに固定される。樹脂製平板の交換を容易にするために、固定は当て板を介してネジでケーシングに固定される。樹脂製ローラーと樹脂製平板の間隔は籾の大きさや、樹脂の硬度、ローラー溝の形状等によって適切な寸法は異なる。代表的な米の場合には凡そ1ミリメートル前後が選ばれる。何れにしても、樹脂製ローラーと樹脂製平板の間隔は適宜調整できるようにする。調整はネジによる調整でもよいが、シム調整の方が簡便である。
【００１９】
ファン用シャフトは金属製が好ましい。ファン用シャフトは軸受けを介してケーシングで支承される。ファン用シャフトとローラー用シャフトとは、増速ギア又は増速プーリーを介して連結される。増速比は特定しないが、増速比が大きいほど、ファンの風量は大きくなり、籾殻は吹き飛ばされやすくなるが、回転抵抗も大きくなり、作業が負担になる。女性の力でも苦痛を感じない範囲で籾殻を略完全に吹き飛ばすためには、増速比は20倍以上で30倍以下が好ましい。
【００２０】
ファンは遠心ファンが最も好ましい。遠心ファンの形状や材質、寸法は特定しないが、例えば樹脂製ローラーの直径が３センチメートル、長さが１０センチメートルの場合を例に採ると、遠心ファンの直径は8センチメートル、幅は10センチメートル程度が最も好ましい。遠心ファンには渦巻き型ケーシングを被せることが好ましい。渦巻き型ケーシングの端面の少なくとも片方は外部に対して開放され、空気の取り入れ口とする。この部分にケーシングが重なる場合には、ケーシングにも適宜開孔部を設ける。渦巻き型ケーシングの吹き出し口は、樹脂製ローラーの下部に、樹脂製ローラーと平行に設置する。吹き出し口から出た風は、籾殻と玄米の落下方向に垂直方向に吹き、籾殻を吹き飛ばす。玄米は比重が大きいので、風の影響を受けることなく落下し、下方に設置された玄米収納箱に収まる。
【００２１】
ファンは請求項３で訴求した如く、軸流ファンやクロスフローファンでもかまわない。但し、軸流ファンの場合には、樹脂製ローラーの回転軸とファンの回転軸とが直交するために、ベベルギヤーで連結するなどの手段を講じる。
【００２２】
ホッパーの材質・形状は特定しない。ホッパー下部には略長方形の開口部が設けられる。開口部の長さは樹脂製ローラーの長さに略等しい。開口部の幅は1センチメートル前後が好ましい。ホッパーに入れられた籾は、開口部から落ち込み、樹脂製ローラーと樹脂製平板の間でせん断力を受けて籾摺りされて、玄米と籾殻に分かれて落下する。落下した玄米と籾殻とは、遠心ファンの渦巻き型ケーシングの吹き出し口から出た風を横から受ける。玄米はそのまま下方に落下するが、籾殻は風の向きに吹き飛ばされる。
落下した玄米は玄米収納箱に収まる。玄米収納箱は籾摺機とセットとして製造されることが好ましいが、使用者があり合わせの容器を使うことにしてもよい。吹き飛ばされた籾殻は籾殻収納箱に収まる。籾殻収納箱は籾摺機とセットとして製造されることが好ましいが、使用者があり合わせの容器を使うことにしてもよい。籾殻収納箱は直方体の箱でもよいが、垂直あるいは斜めに立てられた板あるいは網に一旦ぶつかってから箱に落下する方式の方が、小さな箱で足りることになって都合がよい。
【００２３】
請求項２で訴求した如く、２本の樹脂製ローラーが略接するように平行に配置され、２本のローラーに挟まれる形で籾が籾摺りされる方式でも構わない。この場合、２本の樹脂製ローラーの回転方向は逆方向になり、回転速度が異なるように歯車あるいはプーリーで連結される。２本の樹脂製ローラーの内の１本のシャフトに固定された手動ハンドルを回すことにより２本の樹脂製ローラーが回転する。２本の樹脂製ローラーのどちらかあるいは両方の表面には凹凸があってもよいが、平である方が好ましい。
【産業上の利用可能性】
【００２４】
本考案になる籾摺機は家庭や小規模米作者が籾摺りを行う際に利用できる。米以外の雑穀の籾摺りにも利用可能である。電力を必要としないので、電力に不自由な未開発国での利用も期待される。
【符号の説明】
【００２５】
１  ケーシング
２  ローラー用シャフト
３  手動ハンドル
４  樹脂製ローラー
５  樹脂製平板
６  ファン用シャフト
７  増速ギア
８  遠心ファン
９  ホッパー
１０  連結ギア
１１  玄米収納箱
１２  籾殻収納箱
【図１】
0003165154.tif 000003
【図２】
0003165154.tif 000004